(57)【要約】  本発明は、直接脱進機（１）であって、一連の周辺歯（３）を備えたがんぎ車（２）と、ロック面（１０ｐ、１１ｐ）をそれぞれが有する入口パレット（１０）および出口パレット（１１）を有するアンクル（４）であって、フォーク（４３）も有する、アンクルとを有する、直接脱進機に関する。直接脱進機はまた、調節器（５）に剛性に連結することができるピン（６）であって、前記アンクルを前記がんぎ車（２）から少なくとも部分的にロック解除するために、前記調節器（５）の各交替時にアンクルのフォーク（４３）と協働する、ピンと、前記調節器（５）に剛性に連結することができる少なくとも１つのインパルスパレット（９）であって、がんぎ車の歯（３）と協働して直接インパルスを前記調節器（５）に伝達する、インパルスパレットとを備える。典型的には、少なくともがんぎ車の歯（３）または入口パレットまたは出口パレット（１１）の１つは、前記ロック面（１０ｐ、１１ｐ）の延長部内に、傾斜面（３ｉ、１０ｉ、１１ｉ）を含み、この傾斜面は、アンクル（４）をその軸（Ｘ３）上で回転させることによってがんぎ車（２）の経路Ｃ内で前記パレットが移動する間、前記調節器（５）に間接インパルスを与えるように配置される。
2021524912.tif 000002
【特許請求の範囲】
【請求項１】
時計用の直接脱進機（１）であって、
−第１の回転軸（Ｘ１）を中心に回転可能であり、それぞれがロック面（３ｐ）を有する一連の周辺歯（３）を備えたがんぎ車（２）であって、前記歯（３）は、これらの端部によって前記がんぎ車の回転中に円形軌道Ｃを規定する、がんぎ車と、
−ピン（７，８）で区切られた２つの端部ロック位置間で第２の回転軸（ｘ３）の周りで回転可能なアンクル（４）であって、入口パレット（１０）と出口パレット（１１）とを有し、そのそれぞれは、ロック面（１０ｐ、１１ｐ）を有し、各パレットがそのロック面（１０ｐ、１１ｐ）上で、前記ロック位置の各々において前記がんぎ車の歯（３）の前記ロック面（３ｐ）と当接するように協働するように前記アンクル上に配置され、前記アンクル（４）は、フォーク（４３）をさらに有する、アンクルと、
−第３の回転軸（Ｘ２）周りで枢動する調節器（５）に剛性に連結することができる少なくともピン（６）であって、前記がんぎ車（２）から前記アンクルを少なくとも部分的にロック解除するために、前記調節器（５）の各交替時に前記アンクルの前記フォーク（４３）と協働する、ピンと、
−前記調節器（５）に剛性に連結することができる少なくとも１つのインパルスパレット（９）であって、前記がんぎ車の歯（３）と協働して前記調節器（５）に直接インパルスを伝達する、インパルスパレットとを備える、時計用の直接脱進機において、
前記がんぎ車の少なくとも各歯（３）または前記入口パレットもしくは出口パレット（１１）の少なくとも１つが、前記ロック面（３ｐ、１０ｐ、１１ｐ）の延長部内に、傾斜面（３ｉ、１０ｉ、１１ｉ）を含み、前記傾斜面は、前記アンクル（４）をその軸（Ｘ３）上で回転させることによって前記がんぎ車（２）の前記経路Ｃ内で前記パレットが移動する間、前記調節器（５）に間接インパルスを提供するように配置されることを特徴とする、時計用の直接脱進機。
【請求項２】
前記傾斜面（３ｉ、１０ｉ、１１ｉ）の端部が、０．５°から５°の間、好ましくは０．５°から２°の間に含まれるいわゆるマイクロインパルス角βを区切り、前記角度は、前記アンクル（４）の前記回転軸（Ｘ３）に関連して考慮されることを特徴とする、請求項１に記載の脱進機。
【請求項３】
前記傾斜面（３ｉ、１０ｉ、１１ｉ）が割線方向に延び、前記ロック面（３ｐ、１０ｐ、１１ｐ）と共に、３０°から７０°の間、好ましくは４０°から６０°の間に含まれる鋭角ｉを形成することを特徴とする、請求項１または２に記載の脱進機。
【請求項４】
前記フォーク（４３）が、ノッチ（４６）によって分離され、ガードピンなどを欠く２つのホーン（４４、４５）を備えることを特徴とする、請求項１から３のいずれか一項に記載の脱進機。
【請求項５】
前記フォーク（４３）の前記ホーン（４４、４５）が、前記アンクルの前記回転軸（Ｘ３）および前記ノッチ（４６）の中心を通過する直線に関連して線対称であり、前記ノッチ（４６）から曲率半径Ｒ１を有する円弧にしたがって延び、その自由端に、前記ホーンが延びる前記アンクルの正中面に垂直に突出するスタッドまたはフィンガ（４４ｅ、４５ｅ）を有することを特徴とする、請求項１から４のいずれか一項に記載の脱進機。
【請求項６】
前記調節器（５）に取り付けることができる円形フランジ（１２）を備え、前記フランジは、前記調節器（５）の前記回転軸上に中心揃えされ、前記ピン（６）は、前記がんぎ車のロック段階中に前記ホーンの内面に沿って非接触で移動するように前記フランジ内に埋め込まれることを特徴とする、請求項４または５に記載の脱進機。
【請求項７】
前記曲率半径Ｒ１が、０．５から１．５ｃｍの間に含まれることを特徴とする、請求項４から６のいずれか一項に記載の脱進機。
【請求項８】
前記フランジが、垂直面内で自由端が面取りされていることを特徴とする、請求項６に記載の脱進機。
【請求項９】
前記ピン（６）および前記インパルスパレット（９）が剛性に連結された調節器（５）と協働するように配置された、請求項１から８のいずれか一項に記載の脱進機（１）を有する時計。
【請求項１０】
前記調節器（５）が、ナイフによって仮想ピボット上で回転可能に移動するように装着されたばね型テンプまたは共振器であることを特徴とする、請求項９に記載の時計。
【発明の詳細な説明】
【技術分野】
【０００１】
本発明は、時計製造の分野に関する。本発明は、より詳細には、直接脱進経路および間接脱進経路を組み合わせた分離型脱進機に関する。
【０００２】
本発明はまた、そのような脱進機を組み込んだ時計に関する。
【背景技術】
【０００３】
アンクル脱進機は確かに、少なくともいわゆる分離型脱進機クラスでは、機械式時計機構で最も一般的なタイプの脱進機である。典型的には振り子またはばね型テンプアセンブリタイプの調節器に関連して、アンクル脱進機は、通常少なくとも１つのバレルばねを備える前記時計機構の機械エネルギー源の機械エネルギーの一部を、決定された周波数において規則的なインパルスで前記調節器に伝達することによって、この器官の振動を維持することを可能にする。同時に、脱進機はまた、調節器の振動を数えることを可能にし、したがって時間を数えることを可能にする。
【０００４】
アンクル脱進機の多数の変形形態が現況技術で提案されており、時計製造の分野の当業者によく知られている。同様によく知られているそれらの制限は、主に、一方ではアンクルと調節器との間、他方ではアンクルとがんぎ車との間の連続的な衝撃および摩擦により調節器の振動の等時性を妨げる傾向があると共に、主にこの理由のために機械的効率が低下することである。実際には、通常、アンクルタイプの脱進機は、駆動源から受ける駆動力の限られた量のみを調節器に伝達すると考えられている。
【０００５】
他方で、アンクル脱進機は、その信頼性の高い操作で賞賛されており、自動始動型でもある。
【０００６】
ロビンタイプのアンクル機構には、スイスアンクル脱進機よりも性能が優れているという利点がある。ロビン脱進機は、戻り止め脱進機の利点（がんぎ車とテンプとの間のエネルギーの高効率の直接伝達）の利点と、アンクル脱進機の利点（より優れた操作の安全性）を組み合わせた脱進機である。これは、がんぎ車からテンプへの直接インパルス脱進機であり、脱進機のアンクルは基本的に２つのロックパレットを備えたレバーを構成し、レバーは、インパルス段階の外でがんぎ車の２つの極端なロック位置の間で傾斜する。
【０００７】
しかし、ロビンアンクルの揚力角は、従来のスイスアンクル（約１５°）に比べて非常に小さい（約５°）ため、ガードピンおよびプレートで固定する通常の解決策を適用することは困難である。この目的のために、代替解決策が、欧州特許第１１２２６１７号明細書および欧州特許第２４４４８６０号明細書、または欧州特許第２４０７８３０号明細書の文献で提案された。しかし、これらのロビン脱進機および関連する安全装置は、実装が困難である。
【０００８】
スイス特許第１０１８４９号明細書の文献はさらに、アンクルにいくつかのロックパレットを有する自動始動式の直接分離型脱進機の構成を説明しており、パレットのロック面は、ロック面上にがんぎ車の歯が正確に載置することによって相互作用するように構成されており、ロック面は、接触した場合に前記歯のロック面に関連して傾斜される。この構成は、脱進機に自動始動機能を提供するという点で有利である。しかし、これらのドラッグ式ロックは、脱進機の効率に大きく影響し、各ロックの調整を複雑にする。アンクルのパレット上にあるがんぎ車から誘発されるインパルスはまた、組み合わされて、テンプへの主な直接インパルスを補完する必要があり、これにより、特に、この解決策の工業的規模での実装に関する関心および容易さが低下している。
【先行技術文献】
【特許文献】
【０００９】
【特許文献１】欧州特許第１１２２６１７号明細書
【特許文献２】欧州特許第２４４４８６０号明細書
【特許文献３】欧州特許第２４０７８３０号明細書
【特許文献４】スイス特許第１０１８４９号明細書
【発明の概要】
【発明が解決しようとする課題】
【００１０】
本発明は、信頼性および自動始動の点でスイスのアンクル脱進機またはピンパレットアンクルのそれぞれの利点と、特にロビンタイプの直接インパルス脱進機のそれぞれの利点を組み合わせたアンクル脱進機であって、より信頼性が高く、時計製造者にとって大きな調整の問題なく、前記脱進機の工業的規模での実装を可能にする、アンクル脱進機を提供することを目的とする。
【００１１】
本発明はまた、マイクロインパルスの場合であっても、調節器の誘発された停止の衝撃およびリスクから完全に保護された脱進機を提供することを目的とする。
【００１２】
最後に、本発明は、そのような脱進機を備える時計を提供することを目的とする。
【課題を解決するための手段】
【００１３】
この目的のために、本発明は、請求項１に記載のアンクル脱進機、ならびにそのような脱進機を備え、請求項１０に定義されている時計を提供する。
【００１４】
したがって、本発明は、第１の目的により、時計用の直接脱進機であって、時計製造者によってそれ自体が既知の方法で、
−第１の回転軸を中心に回転可能であり、それぞれがロック面を有する一連の周辺歯を備えたがんぎ車であって、前記歯は、それらの端部によってがんぎ車の回転中に円形軌道Ｃを規定する、がんぎ車と、
−ピンで区切られた２つの端部ロック位置間で第２の回転軸の周りで回転可能なアンクルであって、入口パレットと出口パレットとを有し、そのそれぞれは、ロック面を有し、各パレットがそのロック面上で、前記ロック位置の各々においてがんぎ車の歯のロック面と当接するように協働するようにアンクル上に配置され、前記アンクルは、フォークをさらに有する、アンクルと、
−第３の回転軸周りで枢動する調節器に剛性に連結することができる少なくともピンであって、前記アンクルをがんぎ車から少なくとも部分的にロック解除するために、前記調節器の各交替時にアンクルのフォークと協働する、ピンと、
−前記調節器に剛性に連結することができる少なくとも１つのインパルスパレットであって、がんぎ車の歯と協働して前記調節器に直接インパルスを伝達する、インパルスパレットとを有する、時計用の直接脱進機を提供する。
【００１５】
しかし、本発明の脱進機は、これが、従来のスイスアンクル脱進機のように、間接脱進機トラックの一部を直接脱進機の従来の軌道に関連付けて組み合わせるので、先行技術で知られている脱進機によって特徴付けられる。この目的のために、本発明の脱進機機構は、がんぎ車の少なくとも各歯、または入力パレットまたは出口パレットの少なくとも１つが、そのロック面の延長部内に傾斜面を有するようなものであり、この傾斜面は、アンクルのその軸上での回転によって前記パレットががんぎ車の経路Ｃ内で移動する間、前記調節器に間接インパルスを提供するように配置される。
【００１６】
本発明の脱進機は、引き寄せを提供し、自動始動式であるスイスアンクル脱進機のトラックと、例えばロビンタイプ脱進機のような直接分離型進機のトラックを組み合わせた結果生じる「ハイブリッド」特徴を有する。したがって、直接分離型脱進機の調整および実装は、そのような直接分離型脱進機の性能、特に効率に大きく影響を与えることなく、時計製造者によって何世紀にもわたって知られ、習得され、テストされたスイスアンクル脱進機トラックの「供与」によって大幅に簡素化される。
【００１７】
本発明による脱進機の性能、特にその効率およびその低い揚力角は、エネルギー伝達が脱進機の通常の動作中にがんぎ車からテンプに直接行われるので、ロビンタイプの直接分離型脱進機の性能に類似しており、アンクルの入力パレットおよび出口パレットは、ロックにのみ実質的に有用である。パレットまたはがんぎ車の歯の端部にあるマイクロインパルス傾斜面は、時計ムーブメントの列の駆動トルクを用いてのみ脱進機の自動始動に関与するように向けられ、サイズ設定され、それによって入力−出口パレットのロックで平面上の車面の歯をブロックすることなく初期インパルスを伝達する。さらに、ロックは平面同士のものであり、スイス特許第１０１８４９号明細書に記載されているようにエネルギーを大幅に失う摩擦または寄生ドラッグインパルスを有さない。
【００１８】
本発明の特定の特徴によれば、前記傾斜面の端部は、アンクルの前記回転軸に関連して角度βを区切り、この角度は、有利には、０．５から５°の間、好ましくは０．５から２°の間に含まれる。さらに、前記傾斜面は、割線方向に延び、前記ロック面と共に３０°から７０°の間、好ましくは４０°から６０の間°、より好ましくは約５０°を含む鋭角ｉを形成する。これらの角度配置により、脱進機が死点にあるときに、マイクロインパルスの傾斜面の１つ上のがんぎ車の少なくとも歯とアンクルのロックパレットの少なくとも１つとの相互作用を有利に確実にすることが可能であり、それによって脱進機が関連付けられているムーブメントの単純な駆動トルクで脱進機を開始するのに十分なインパルスを誘発する。
【００１９】
本発明の特定の特徴によれば、フォークは、ノッチによって分離された２つのホーンを備え、ガードピンなどを欠いている。調節器に関連するアンクルのアンチオーバーバンキング安全対策は、有利には、アンクルの回転軸およびノッチの中心を通過する直線に対して線対称にフォークの前記ホーンを配置することによってもたらされ、このホーンは、前記ノッチから、ピンの回転半径よりわずかに大きい曲率半径Ｒ１を有する円弧を辿って延び、そのホーンの自由端に、ホーンが延びるアンクルの正中面に垂直に突起するスタッドまたはフィンガを有する。
【００２０】
このように作製されたアンクルのホーンを補完する方法で、機構はまた、特定の実施形態によれば、前記調節器に取り付けることができる円形フランジを備え、前記フランジは、前記調節器の回転軸上で中心揃えされ、ピンは、がんぎ車のロック段階中に前記ホーンの内面に沿って非接触で移動するように前記フランジ内に埋め込まれる。
【００２１】
実際には、形状がさまざまになり得るフランジは、調節器の追加の弧の間に衝撃が生じた場合にスタッドとの接触面を提供することを目的とし、前記スタッドは、そのため、前記フランジの内側または外側のいずれかに当接するようになる。
【００２２】
好ましくは、曲率半径Ｒ１は、０．５から１．５ｃｍの間に含まれる。
【００２３】
特定の実施形態では、前記フランジは、垂直面内で自由端が面取りされているか、または湾曲している。
【００２４】
本発明の第２の目的はまた、前記ピンおよび前記インパルスパレットに取り付けられた調節器と協働するように配置された、前述のものなどの脱進機を有する時計に関する。
【００２５】
いくつかの実施形態の変形形態によれば、本発明の時計は、ナイフによって仮想ピボット上で回転可能に移動するように装着されたばね型テンプタイプまたは共振器タイプの調節器を備えることができる。
【００２６】
本発明の他の詳細は、以下の添付の図面を参照して、以下の説明を読むことでより明確になるであろう。
【図面の簡単な説明】
【００２７】
【図１】インパルスまたはロックなしの、「死点」と呼ばれる位置で概略的に表された、本発明による脱進機、およびテンプなどの関連する調節器を示す図である。
【図２】図１の脱進機アンクルのロックパレットの端部の拡大図である。
【図３】図１の脱進機の拡大図であり、さまざまな角度が、本発明の機構の構造によって脱進機の自動始動条件を決定している。
【図４】第１の交替における本発明による脱進機の動作段階を示す図である。
【図５】第１の交替における本発明による脱進機の別の動作段階を示す図である。
【図６】第１の交替における本発明による脱進機の別の動作段階を示す図である。
【図７】第１の交替における本発明による脱進機の別の動作段階を示す図である。
【図８】第１の交替における本発明による脱進機の別の動作段階を示す図である。
【図９】第１の交替における本発明による脱進機の別の動作段階を示す図である。
【図１０】「（ｃｏｕｐ  ｐｅｒｄｕ）失われた衝撃」（インパルスを有さない振動）に対応する、第２の交替における本発明による脱進機の動作段階を示す図である。
【図１１】「（ｃｏｕｐ  ｐｅｒｄｕ）失われた衝撃」（衝撃のない振動）に対応する、第２の交替における本発明による脱進機の別の動作段階を示す図である。
【図１２】「（ｃｏｕｐ  ｐｅｒｄｕ）失われた衝撃」（衝撃のない振動）に対応する、第２の交替における本発明による脱進機の別の動作段階を示す図である。
【図１３】「（ｃｏｕｐ  ｐｅｒｄｕ）失われた衝撃」（衝撃のない振動）に対応する、第２の交替における本発明による脱進機の別の動作段階を示す図である。
【図１４】「（ｃｏｕｐ  ｐｅｒｄｕ）失われた衝撃」（衝撃のない振動）に対応する、第２の交替における本発明による脱進機の別の動作段階を示す図である。
【図１５】「（ｃｏｕｐ  ｐｅｒｄｕ）失われた衝撃」（衝撃のない振動）に対応する、第２の交替における本発明による脱進機の別の動作段階を示す図である。
【図１６】「（ｃｏｕｐ  ｐｅｒｄｕ）失われた衝撃」（衝撃のない振動）に対応する、第２の交替における本発明による脱進機の別の動作段階を示す図である。
【図１７】２つの連続する交替の間の本発明の脱進機のアンチオーバーバンキング装置の取り付け位置を示す図である。
【図１８】２つの連続する交替の間の本発明の脱進機のアンチオーバーバンキング装置の異なる取り付け位置を示す図である。
【図１９】２つの連続する交替の間の本発明の脱進機のアンチオーバーバンキング装置の異なる取り付け位置を示す図である。
【図２０】２つの連続する交替の間の本発明の脱進機のアンチオーバーバンキング装置の異なる取り付け位置を示す図である。
【図２１】２つの連続する交替の間の本発明の脱進機のアンチオーバーバンキング装置の異なる取り付け位置を示す図である。
【図２２】図１〜２１の脱進機の別の実施形態におけるがんぎ車の歯の端部の拡大図である。
【発明を実施するための形態】
【００２８】
本発明は、新しいタイプの分離型脱進機１であって、直接インパルスを伴う分離脱進機において、数十年にわたって時計製造者によってよく知られているスイスアンクル脱進機の信頼性、調整の容易さ、および自動始動を利用し、組み合わせるように設計され構成された分離型脱進機に関する。
【００２９】
そのような脱進機１の特定の実施形態は、脱進機１の死点に対応して、図１に表されている。一般的に言えば、脱進機１は、構造的にロビンタイプの脱進機に類似しているが、以下に説明するようにいくつかの側面は変更されている。脱進機は、尖った歯３を備え、第１の回転軸Ｘ１の周りで回転可能であるように装着されたがんぎ車２を備える。従来、このがんぎ車２は、がんぎ車２を、仕上げ歯車列および時計のムーブメントの駆動源、例えば、駆動トルクをがんぎ車２に伝達するバレルばねに結合させるがんぎ車ピニオン（図示せず）に関連付けられ、がんぎ車はこのトルクを、第３の回転軸Ｘ３周りでそれ自体が回転可能であるアンクル４と協働して第２の回転軸Ｘ２の周りで回転可能であるように装着された調節器５に順次分配し、回転軸Ｘ１、Ｘ２、Ｘ３は、互いに平行である。調節器５は、時計製造者によってよく知られているばね型テンプまたは任意の他の振動調節器、例えば、特許出願の国際公開第２０１６／０１２２８１号パンフレットにおいて出願人によって提案されたもののようなナイフを備えた共振器などから作製され得る。
【００３０】
アンクル４はレバーとして機能し、入口パレット１０および出口パレット１１が内部に配置されたプレート４１を備え、パレットそれぞれは、ロック位置と呼ばれる、アンクル軸Ｘ３周りのアンクル４の回転における２つの端部位置においてがんぎ車２の歯３と当接するロック表面を交互に形成するように設計されたロック面１０ｐ、１１ｐを有する。アンクル４のロック位置から次の位置への枢動を可能にするために、前記アンクルは、フォーク４３を備え、このフォークは、プレート４１から、アンクル４の回転軸Ｘ３と調節器５の回転軸Ｘ２を結ぶ直線にしたがって延びるアーム４２の端部に配置される。フォーク４３は、ノッチ４６によって分離され、ガードピン、フィンガまたは類似のオーバーバンキング防止安全要素を欠く２つのホーン４４、４５を備える。これらのホーン４４、４５は、死点において、回転軸Ｘ３および調節装置の軸Ｘ２を結び、ノッチ４６の中心も通過する直線に関して対称的である。このフォーク４３により、アンクル４は、より具体的にはそのノッチ４６のレベルで、調節器５、例えば前記調節器５の同軸プレートと一緒に装着されたピン６と協働し、この同軸プレートに、直接インパルスパレット９がさらに接合され、直接インパルスパレットは、調節装置５の各交替時に、がんぎ車２の歯３によってさらに推進される。アンクルの移動は、２つのピン７、８によって制限され、これらのピンは、アンクル４の進行の角度λを、アンクル４の軸Ｘ３に関連して５から６°の間で制限する。
【００３１】
本発明によれば、図２および３に詳細に示すように、入口パレット１０および出口パレット１１は、いずれの場合も、少なくとも出口パレット１１は、それぞれのロック面１０ｐ、１１ｐの延長部内に、間接インパルスの傾斜面１０ｉ、１１ｉを含み、これらの傾斜面は、アンクル４がその軸Ｘ３上において２つのロック位置間で回転する間、回転するがんぎ車２の歯３の端部によって画定された経路Ｃを前記パレット１０、１１が交差するときに、調節器５に間接マイクロインパルスを伝達するように配置される。これらの傾斜面１０ｉ、１１ｉは、有利には、ロックパレット１０、１１上に形成され、それにより、０．５°から５°の間に含まれ、より具体的には例では１°から２°の間で表され、好ましくは約１．５°である角度β、いわゆるマイクロインパルスが、その端部とアンクル４の回転軸Ｘ３との間に形成される。さらに、間接インパルス面１０ｉ、１１ｉは、実際には、前記ロック面１０ｐ、１１ｐに関連して、７０°で３０°の範囲、好ましくは４０°から６０°の間、好ましくは５０°の範囲の鋭角ｉに従った傾斜を有して、ロック面１０ｐ、１１ｐに連続して配置される。したがって、間接マイクロインパルス面１０ｉ、１１ｉは、ロック面１０ｐ、１１ｐの延長部および端部に、局所的なブレークまたは凹部ｄを提供し、その長さは、マイクロインパルス角βに従って決定され、前記調節器の停止後、歯車の駆動力の下で脱進機１に関連する調節器の自動始動を確実にするように算出され適合される。有利には、パレット１０、１１および歯３のロック面１０ｐ、１１ｐは、それらが脱進機のロック位置で平面同士で載置するようなものである。さらに、アンクルのピボットＸ３とがんぎ車２のピボットＸ１との間の中心距離は、がんぎ車の死点において、がんぎ車の歯３の自由端がそのロック面によって凹部点ｄを実質的に支承するように調整され、それによって、調節器５の停止後、駆動トルクだけで、マイクロインパルス面１０ｉ、１１ｉ上に歯３の前記端部を傾けるのに十分な引き寄せを誘発することを保証する。
【００３２】
さらに、アンクル４の入口パレットおよび出口パレット１０、１１は、有利には、がんぎ車２に関連するアンクルのロックおよびロック解除機能、ならびに前記パレットに関連するがんぎ車の進行安全性が、最適化されるようにプレート４１上で調整される。したがって、図２を参照すると、パレット１０、１１は、ロック位置において、第１のパレットが、そのロック面上で、アンクルの回転軸ｘ３において２°の範囲内のロック角αを画定する距離上でがんぎ車の歯３と接触し、他方のパレットが、回転軸ｘ３において歯３の通過時に１．５°の範囲内の安全角Σを形成する距離だけがんぎ車の円Ｃから離れるように移動されるように配置される。
【００３３】
さらに、パレット１０、１１は、それらの構成および配置により、わずかな引き寄せを確実にし、それらの傾斜面１０ｉ、１１ｉは、本発明の機構に対して、スイスアンクル脱進機の特徴的な特徴である、自動始動能力および各交替時のマイクロインパルスを提供する。
【００３４】
具体的には、機構１ががんぎ車２のトルクの下で自力で始動するのに必要なことは、ロック位置から死点まで（したがってアンクルの全移動量の半角）進行することで、傾斜面をロック領域ではなく経路Ｃ内に位置付けることである。さらに、パレットから別のパレットへの通過には、パレット脱進機の安全性がアンクル４の進行の半角よりも小さいことが必要である。したがって、本発明の機構の本質的な条件は、以下の方法で定義される。
【数１】
2021524912.tif 000003
【００３５】
こうして、スイスのアンクル脱進機とロビンタイプの直接脱進機の間で組み合わされるか、または統合されたトラック脱進機が、実際に得られる。
【００３６】
図２２に表す本発明の別の実施形態では、間接インパルス傾斜面を、スイスアンクル脱進機タイプの脱進機１のアンクル４の入口パレット１０または出口パレット１１のいずれにも設けず、歯３の自由径方向端部に直接的に傾斜面３ｉの形態で設けることができ、この傾斜面は、ピン脱進機タイプの図２および図３上のパレット１０、１１の傾斜面１０ｉ、１１ｉに類似し、したがって、アンクルの軸Ｘ３に関連して、０．５°から５°の間に含まれ、より具体的には例では１°から２°の間で表されるマイクロインパルス角βを形成する。マイクロインパルス傾斜面３ｉは、そのロック面３ｐに連続して歯３の自由端に設けられるが、実際には、前記ロック面３ｐに関連して約３０°から７０°の範囲内、好ましくは４０°から６０°の間、より好ましくは５０°の範囲内の鋭角ｉにしたがって傾斜される。したがって、間接マイクロインパルス面３ｉは、ロック面３ｐの延長部および端部に、局所的なブレークまたは凹部ｄを提供し、その長さは、マイクロインパルス角βに従って決定され、前記調節器の停止後、歯車列の駆動力の下で脱進機１に関連する調節器の自動始動を確実にするように算出され適合される。有利には、パレット１０、１１および歯３ｐのロック面１０ｐ、１１ｐは、それらが脱進機のロック位置で平面同士で載置するようなものである。さらに、アンクルＸ３のピボットとがんぎ車２のピボットＸ１との間の中心距離は、がんぎ車の死点において、がんぎ車の歯３の自由端がそのロック面によって凹部点ｄを実質的に支承するように調整され、それによって、調節器５の停止後、駆動トルクだけで、マイクロインパルス面３ｉ上に歯３の前記端部を傾けるのに十分なパレット１０、１１の引き寄せを誘発することを保証する。
【００３７】
パレット９はまた、実質的に一定のトルクを伝達するために、直接インパルス中に歯３の傾斜面３ｉを受け入れ、それと協働するように適合された端部形状を有することもできる。
【００３８】
ロビン脱進機のようなガードピンタイプの安全性で観察されるオーバーバンキングまたはバッティングリスクを回避するために、本発明の脱進機１は、アンクル４のフォーク４３上および調節器２上に一体的に形成されたアンチオーバーバンキング安全デバイスを提供し、これは、より具体的には、調節器５と一体化して作製されたフランジである。前に示したように、アンクル４のフォーク４３は、そのホーン４４、４５の間にガードピンがない。実際、アンクル４が進行する小さな角度経路λは、ロビン脱進機で最初から計画されているように、スイスアンクル脱進機の通常の形状による安全ローラと協働するそのようなガードピンの実装を考慮することができず、例えば、脱進機を工業レベルで実行可能にするにはあまりにも重要すぎるバッティングのリスクを回避するように脱進機を調整する困難性を考慮できない。代替として、本発明による機構１のアンクル４のフォーク４３は、アンクルの回転軸Ｘ３およびノッチ４６の中心を通る直線に対して対称的な２つのホーン４４、４５を備え、これらホーンは、有利には０．５から１．５ｃｍの間に含まれ、またはより経験的な方法では、回転軸Ｘ２に関連する調節器５と一体化されたピン６の回転半径よりわずかに大きい曲率半径Ｒ１を有する円弧にしたがって前記ノッチ４６から延びる。前記ホーン４４、４５は、それらの自由端に、プレート４１、アーム４２、およびフォーク４３が延びるアンクル４の正中面に垂直に突出する円筒形のスタッドまたはフィンガ４４ｅ、４５ｅをさらに備える。しかし、スタッドは、別の形状を有することもできる。したがって、ホーン４４、４５は、ロック段階中、合計角度振幅が低減され、振動周波数が重要である場合は調節器５の回転においてその合計角度振幅にわたって、または前記調節器５が従来のばね型テンプタイプのものである場合は前記調節器の回転においてほぼすべての追加の弧にわたって前記ピン６のための案内本体となる。
【００３９】
ホーン４４、４５を補完する方法で、アンチオーバーバンキング装置はまた、調節器５のピン６の両側に延びる円形フランジ１２を備える。前記フランジ１２は、調節器の回転軸Ｘ２上に中心揃えされる。したがって、ピン６は、前記フランジ内に一体化され、それにより、ピンは、がんぎ車２のロック段階中、前記ホーンの内面に沿って通常は非接触でこれに沿って移動する。フランジ１２の全長は、好ましくは、前記ホーン４４、４５のスタッド４４ｅ、４５ｅ間の全距離に実質的に等しい。
【００４０】
したがって、機構１上の衝撃が調節器の追加の弧の間にオーバーバンキングを起こしやすいアンクル４の動きを生成した場合、スタッド４４ｅまたは４５ｅは、フランジ１２の下面を通過するが、これは停止を伴わない。その理由は、調節器５は、図１６、図１７および図１９、図２０に２つの別個の交替で表すように、スタッド４４ｅ、４５ｅに対してフランジ１２のこの内面を越えて回転し続けるからである。さらに、通常の動作構成におけるホーン間のフランジ１２およびピン６の戻り（図１８、２１）は、フランジ１２の自由端によって確実にされ、これらの自由端は、有利には垂直面において面取りされ、それによって、傾斜前記スタッド４４ｅ、４５ｅが、前の交替中にホーンの外側で場合によっては傾斜された後、ホーン４４、４５間に戻る通路を生み出す。したがって、ホーン４４、４５およびフランジ１２のこの配置および構成は、脱進機１の動作に悪影響を与えることなく、起こり得るオーバーバンキングに対する最適な安全性を提供する。
【００４１】
図４から図１５は、調節器５の２つの連続する交替における本発明の脱進機の異なる動作段階を示し、がんぎ車２、アンクル４、および前記調節器のそれぞれの回転方向は、第１の交替において矢印Ｆ１、Ｆ２，Ｆ３それぞれによって、第２の交替において矢印Ｆ４、Ｆ５、Ｆ６それぞれによって表される。
【００４２】
図４は、ロック解除位置にある機構１を示す。ピン６は、アンクル４のフォーク４３のノッチ４６内にあり、アンクルは、調節器５のＦ３方向の回転作用下で、ピン８に対する載置からＦ２方向に離れ、死点（図１）の半分を通過して、入口パレット１０を介して間接マイクロインパルス位置内に到達する（図５）。次に、調節器５は、がんぎ車によってパレット９においてその直接インパルスを受け取り（図６）、その後（図７）、フォークはピン７に対して落下し（図８）、アンクル４は、ロック位置となり、がんぎ車２の歯３は、出口パレット１１のロック面上に載っている。次に、調節器５は、その追加の弧に沿って進行し（図９）、アンクル４は、その出口パレット１１を介してピン７に対して引き寄せられる。
【００４３】
次に、調節器５は、第２の交替でロック解除位置（図１０）に向かって反対のＦ６方向に戻り、したがって、ピン７のアンクル４のロックを解除し、アンクルはＦ５方向に枢動する。次に、死点を通過すると（図１１）、出口パレット１１（図１２）において第２の間接マイクロインパルスを受けるが、がんぎ車はＦ４方向に回転して自由にされ、その後、アンクル４は、ピン８上に落下し（図１３）、次に第２のロック位置（図１４）に到達し、そこでがんぎ車の歯３は、入口パレット１０のロック面上に当接するようになる。次に、調節器５は、第２の交替が終了するまで「（ｃｏｕｐ  ｐｅｒｄｕ）失われた衝撃」（インパルスを有さない振動）を実行することによってＦ６方向への進行を続け、その後、図４のロック解除位置に向かってＦ１方向に戻る。
【００４４】
したがって、本発明の脱進機１は、本質的にその性能パラメータおよび利点を損なうことなく、簡易化され、その信頼性を向上させ、最適な動作安全性をもたらしながら、直接脱進機のロビンタイプの構成内にスイスアンクル脱進機のような間接マイクロインパルスおよびわずかな引き寄せを有するハイブリッドトラックを備えた直接脱進機を提供する。
【図１】
2021524912.tif 000004
【図２】
2021524912.tif 000005
【図３】
2021524912.tif 000006
【図４】
2021524912.tif 000007
【図５】
2021524912.tif 000008
【図６】
2021524912.tif 000009
【図７】
2021524912.tif 000010
【図８】
2021524912.tif 000011
【図９】
2021524912.tif 000012
【図１０】
2021524912.tif 000013
【図１１】
2021524912.tif 000014
【図１２】
2021524912.tif 000015
【図１３】
2021524912.tif 000016
【図１４】
2021524912.tif 000017
【図１５】
2021524912.tif 000018
【図１６】
2021524912.tif 000019
【図１７】
2021524912.tif 000020
【図１８】
2021524912.tif 000021
【図１９】
2021524912.tif 000022
【図２０】
2021524912.tif 000023
【図２１】
2021524912.tif 000024
【図２２】
2021524912.tif 000025
【国際調査報告】
2021524912.tif 000026
2021524912.tif 000027
2021524912.tif 000028
2021524912.tif 000029
2021524912.tif 000030